(57)【特許請求の範囲】
【請求項１】
顧客先に設置され、貨幣を収納する収納部を備える貨幣処理装置であって、
顧客の担当者によって行われる操作を受け付ける第一モードと、前記顧客の担当者によって行われる貨幣にアクセスするための操作を受け付けず、かつ、回収会社の担当者によって行われる操作を受け付ける第二モードとに切り換える制御部と、を備え、
前記制御部は、前記第二モードでは、前記収納部内の貨幣を回収する回収処理のみを受け付けることを特徴とする貨幣処理装置。
【請求項２】
顧客先に設置され、貨幣を収納する収納部を備える貨幣処理装置であって、
顧客の担当者によって行われる操作を受け付ける第一モードと、前記顧客の担当者によって行われる貨幣にアクセスするための操作を受け付けず、かつ、回収会社の担当者によって行われる操作を受け付ける第二モードとに切り換える制御部と、を備え、
前記制御部は、前記第二モードにおいて、回収会社の担当者によって行われる操作のうち、精査処理と前記収納部内の貨幣を回収する回収処理を受け付けることを特徴とする貨幣処理装置。
【請求項３】
前記制御部は、回収会社に設けられた回収会社制御装置と通信可能となり、
前記制御部は、前記回収会社制御装置に精査処理が完了したことを送信する、または、前記回収会社制御装置から前記第二モードへ切り換えるように指示を受けることによって、前記第二モードに切り換わることを特徴とする請求項１又は２のいずれかに記載の貨幣処理装置。
【請求項４】
前記収納部は、金種別に貨幣を収納するための金種別収納庫と、回収する貨幣を収納するための回収カセットとを有し、
前記制御部は、前記第二モードにおいて、回収会社の担当者によって行われる操作のうち、機内に残しておくべき金種毎の枚数もしくは金額または機内から回収すべき金種毎の枚数もしくは金額に関する指示を受け付け、受け付けた情報に応じて、前記搬送部によって貨幣を前記金種別収納庫から前記回収カセットへ搬送させることを特徴とする請求項１乃至３のいずれか１項に記載の貨幣処理装置。
【請求項５】
所定の情報を表示するための表示部をさらに備え、
前記制御部は、前記第二モードにおいても、前記顧客の担当者によって行われる操作のうち、前記表示部へ前記所定の情報を表示する表示指示を受け付けることを特徴とする請求項１乃至４のいずれか１項に記載の貨幣処理装置。
【請求項６】
所定の情報を表示するための表示部をさらに備え、
前記制御部は、回収会社に設けられた回収会社制御装置と通信可能となり、
前記制御部は、前記回収会社制御装置から前記回収会社の担当者が到達する到着予定時刻に関する情報を受け取り、前記表示部に、該到着予定時刻を表示させることを特徴とする請求項１乃至５のいずれか１項に記載の貨幣処理装置。
【請求項７】
前記制御部は、前記第二モードにおいても、前記顧客の担当者によって所定の入力が行われた場合には、前記第一モードに切り換わることを特徴とする請求項１乃至６のいずれか１項に記載の貨幣処理装置。
【請求項８】
前記第一モードでは、回収会社の担当者によって行われる操作が制限され、
前記制御部は、前記第一モードにおいても、前記回収会社の担当者によって所定の入力が行われた場合には、前記第二モードに切り換わることを特徴とする請求項１乃至７のいずれか１項に記載の貨幣処理装置。
【請求項９】
所定の情報を表示するための表示部をさらに備え、
前記表示部は、前記制御部が前記第一モードおよび前記第二モードのいずれであるかを表示することを特徴とする請求項１乃至８のいずれか１項に記載の貨幣処理装置。
【請求項１０】
精査処理の実施時刻、精査処理の実施結果、回収処理の実施時刻、回収処理の実施結果、補充処理の実施時刻および補充処理の実施結果のうちの少なくともいずれか１つからなる処理情報を記憶する記憶部をさらに備え、
前記処理情報は、前記顧客先に設けられた表示装置または回収会社に設けられた表示装置によって表示可能となっていることを特徴とする請求項１乃至９のいずれか１項に記載の貨幣処理装置。
【請求項１１】
機内に残しておくべき金種毎の枚数または金額を設定する余剰金設定部をさらに備え、
前記収納部は、金種別に貨幣を収納するための複数の金種別収納庫と、回収する貨幣を収納するための回収カセットとを有し、
前記制御部は、前記余剰金設定部によって設定された枚数または金額に達するまで貨幣を金種毎に金種別収納庫に収納させ、金種別収納庫に前記余剰金設定部で設定された枚数または金額の貨幣が収納された場合には当該金種別収納庫に収納されるべき金種の貨幣を前記回収カセットに収納させることを特徴とする請求項１乃至１０のいずれか１項に記載の貨幣処理装置。
【請求項１２】
前記制御部は、精査処理を行う際に、前記余剰金設定部によって設定された枚数または金額に達するまで貨幣を金種毎に金種別収納庫に収納させ、金種別収納庫に前記余剰金設定部で設定された枚数または金額の貨幣が収納された場合には当該金種別収納庫に収納されるべき金種の貨幣を前記回収カセットに収納させることを特徴とする請求項１１に記載の貨幣処理装置。
【請求項１３】
回収すべき金種毎の枚数または金額を設定する回収金設定部をさらに備え、
前記収納部は、金種別に貨幣を収納するための複数の金種別収納庫と、回収する貨幣を収納するための回収カセットとを有し、
前記制御部は、前記回収金設定部によって設定された回収すべき金種毎の枚数または金額に達するまで各金種の貨幣を回収カセットに収納させ、該回収カセットに該回収金設定部で設定された枚数または金額の貨幣が収納された場合には当該貨幣を対応する金種別収納庫に収納させることを特徴とする請求項１乃至１０のいずれか１項に記載の貨幣処理装置。
【請求項１４】
前記制御部は、精査処理を行う際に、前記回収金設定部によって設定された回収すべき金種毎の枚数または金額に達するまで各金種の貨幣を回収カセットに収納させ、該回収カセットに該回収金設定部で設定された枚数または金額の貨幣が収納された場合には当該貨幣を対応する金種別収納庫に収納させることを特徴とする請求項１３に記載の貨幣処理装置。
【請求項１５】
前記余剰金設置部または前記回収金設定部は、曜日または日付に応じて、機内に残しておくべきまたは回収すべき金種毎の枚数または金額を自動的に変えることを特徴とする請求項１１乃至１４のいずれか１項に記載の貨幣処理装置。
【請求項１６】
前記余剰金設置部または前記回収金設定部は、地域情報に基づいて、機内に残しておくべきまたは回収すべき金種毎の枚数または金額を自動的に変えることを特徴とする請求項１１乃至１５のいずれか１項に記載の貨幣処理装置。
【請求項１７】
前記制御部は、回収会社に設けられた回収会社制御装置と通信可能となり、
前記制御部は、前記回収会社制御装置に、前記回収会社の担当者が回収すべき貨幣の金種と枚数または金額に関する情報を送信することを特徴とする請求項１乃至１６のいずれか１項に記載の貨幣処理装置。
【請求項１８】
前記制御部は、前記回収会社制御装置に、機内に残しておくべき貨幣の金種と枚数または金額に関する情報も送信することを特徴とする請求項１７に記載の貨幣処理装置。
【発明の詳細な説明】
【技術分野】
【０００１】
本発明は、硬貨や紙幣などの貨幣を処理する貨幣処理装置に関する。
【背景技術】
【０００２】
従来から、筐体と、筐体内で貨幣を搬送する搬送部と、搬送部で搬送される貨幣を識別する識別部と、貨幣を収納する収納部とを備えた貨幣処理装置が知られている（例えば、特許文献１参照）。そして、貨幣処理装置の収納部は、識別部で識別された貨幣を金種別で収納するための収納部と、回収貨幣を収納するために用いられる回収カセットとを有している。
【０００３】
このような貨幣処理装置を、例えば銀行窓ロで利用する場合、窓口業務の終了後に、窓ロ担当者（顧客の担当者）が貨幣処理装置内の回収カセットに回収し、回収カセットを貨幣処理装置から取り外して、銀行内に設置された別の金庫に保管している。そして、窓ロ担当者は、次に貨幣処理装置を利用するとき（例えば明朝）に、金庫から回収カセットを取り出し、再度貨幣処理装置へ装着している。
【先行技術文献】
【特許文献】
【０００４】
【特許文献１】特開２００９−１５１３５４号公報
【発明の概要】
【発明が解決しようとする課題】
【０００５】
このような従来の運用では、窓口担当者が大量の現金を収納した回収カセットを持って移動する必要があり、セキュリティ面で問題がある（特に最近は窓口担当者にパート社員を起用する銀行もあり、窓ロ担当者が貨幣にアクセスする処理はなるべく減らしたいというニーズがある。）。
【０００６】
また、翌日まで銀行内に大量の現金を保管するという点についても、ショッピングセンター内の規模の小さい銀行支店や地方の銀行では、建物自体のセキュリティ性が高く無いことがあり、セキュリティ上の問題がある。
【０００７】
本発明は、このような点を考慮してなされたものであり、セキュリティを高めることができる貨幣処理装置を提供することを目的とする。
【課題を解決するための手段】
【０００８】
本発明による貨幣処理装置は、
顧客先に設置された貨幣処理装置であって、
筐体と、
前記筐体内で貨幣を搬送する搬送部と、
前記搬送部で搬送される貨幣を識別する識別部と、
前記筐体内で貨幣を収納する収納部と、
通常の処理を可能とする第一モードと、前記顧客の担当者によって行われる操作が制限される第二モードとに切り換わる制御部と、を備えている。
【０００９】
本発明による貨幣処理装置において、
前記制御部は、回収会社に設けられた回収会社制御装置と通信可能となり、
前記制御部は、前記回収会社制御装置に精査処理が完了したことを送信する、または、前記回収会社制御装置から前記第二モードへ切り換えるように指示を受けることによって、前記第二モードに切り換わってもよい。
【００１０】
本発明による貨幣処理装置において、
前記制御部は、前記第二モードにおいて、前記顧客の担当者によって行われる操作を受け付けなくてもよい。
【００１１】
本発明による貨幣処理装置において、
前記制御部は、前記第二モードにおいて、回収会社の担当者によって行われる操作のうち、前記収納部内の貨幣を回収する回収処理を受け付けてもよい。
【００１２】
本発明による貨幣処理装置において、
前記制御部は、前記第二モードにおいて、回収会社の担当者によって行われる操作のうち、精査処理と前記収納部内の貨幣を回収する回収処理を受け付けてもよい。
【００１３】
本発明による貨幣処理装置において、
前記収納部は、金種別に貨幣を収納するための金種別収納庫と、回収する貨幣を収納するための回収カセットとを有し、
前記制御部は、前記第二モードにおいて、回収会社の担当者によって行われる操作のうち、機内に残しておくべき金種毎の枚数もしくは金額または機内から回収すべき金種毎の枚数もしくは金額に関する指示を受け付け、受け付けた情報に応じて、前記搬送部によって貨幣を前記金種別収納庫から前記回収カセットへ搬送させてもよい。
【００１４】
本発明による貨幣処理装置は、
所定の情報を表示するための表示部をさらに備え、
前記制御部は、前記第二モードにおいても、前記顧客の担当者によって行われる操作のうち、前記表示部へ前記所定の情報を表示する表示指示を受け付けてもよい。
【００１５】
本発明による貨幣処理装置は、
所定の情報を表示するための表示部をさらに備え、
前記制御部は、回収会社に設けられた回収会社制御装置と通信可能となり、
前記制御部は、前記回収会社制御装置から前記回収会社の担当者が到達する到着予定時刻に関する情報を受け取り、前記表示部に、該到着予定時刻を表示させてもよい。
【００１６】
本発明による貨幣処理装置において、
前記制御部は、前記第二モードにおいても、前記顧客の担当者によって所定の入力が行われた場合には、前記第一モードに切り換わってもよい。
【００１７】
本発明による貨幣処理装置において、
前記第一モードでは、回収会社の担当者によって行われる操作が制限され、
前記制御部は、前記第一モードにおいても、前記回収会社の担当者によって所定の入力が行われた場合には、前記第二モードに切り換わってもよい。
【００１８】
本発明による貨幣処理装置は、
所定の情報を表示するための表示部をさらに備え、
前記表示部は、前記制御部が前記第一モードおよび前記第二モードのいずれであるかを表示してもよい。
【００１９】
本発明による貨幣処理装置は、
精査処理の実施時刻、精査処理の実施結果、回収処理の実施時刻、回収処理の実施結果、補充処理の実施時刻および補充処理の実施結果のうちの少なくともいずれか１つからなる処理情報を記憶する記憶部をさらに備え、
前記処理情報は、前記顧客先に設けられた表示装置または回収会社に設けられた表示装置によって表示可能となっていてもよい。
【００２０】
本発明による貨幣処理装置は、
機内に残しておくべき金種毎の枚数または金額を設定する余剰金設定部をさらに備え、
前記収納部は、金種別に貨幣を収納するための複数の金種別収納庫と、回収する貨幣を収納するための回収カセットとを有し、
前記制御部は、前記余剰金設定部によって設定された枚数または金額に達するまで貨幣を金種毎に金種別収納庫に収納させ、金種別収納庫に前記余剰金設定部で設定された枚数または金額の貨幣が収納された場合には当該金種別収納庫に収納されるべき金種の貨幣を前記回収カセットに収納させてもよい。
【００２１】
本発明による貨幣処理装置において、
前記制御部は、精査処理を行う際に、前記余剰金設定部によって設定された枚数または金額に達するまで貨幣を金種毎に金種別収納庫に収納させ、金種別収納庫に前記余剰金設定部で設定された枚数または金額の貨幣が収納された場合には当該金種別収納庫に収納されるべき金種の貨幣を前記回収カセットに収納させてもよい。
【００２２】
本発明による貨幣処理装置は、
回収すべき金種毎の枚数または金額を設定する回収金設定部をさらに備え、
前記収納部は、金種別に貨幣を収納するための複数の金種別収納庫と、回収する貨幣を収納するための回収カセットとを有し、
前記制御部は、前記回収金設定部によって設定された回収すべき金種毎の枚数または金額に達するまで各金種の貨幣を回収カセットに収納させ、該回収カセットに該回収金設定部で設定された枚数または金額の貨幣が収納された場合には当該貨幣を対応する金種別収納庫に収納させてもよい。
【００２３】
本発明による貨幣処理装置において、
前記制御部は、精査処理を行う際に、前記回収金設定部によって設定された回収すべき金種毎の枚数または金額に達するまで各金種の貨幣を回収カセットに収納させ、該回収カセットに該回収金設定部で設定された枚数または金額の貨幣が収納された場合には当該貨幣を対応する金種別収納庫に収納させてもよい。
【００２４】
本発明による貨幣処理装置において、
前記余剰金設置部または前記回収金設定部は、曜日または日付に応じて、機内に残しておくべきまたは回収すべき金種毎の枚数または金額を自動的に変えてもよい。
【００２５】
本発明による貨幣処理装置において、
前記余剰金設置部または前記回収金設定部は、地域情報に基づいて、機内に残しておくべきまたは回収すべき金種毎の枚数または金額を自動的に変えてもよい。
【００２６】
本発明による貨幣処理装置において、
前記制御部は、回収会社に設けられた回収会社制御装置と通信可能となり、
前記制御部は、前記回収会社制御装置に、前記回収会社の担当者が回収すべき貨幣の金種と枚数または金額に関する情報を送信してもよい。
【００２７】
本発明による貨幣処理装置において、
前記制御部は、前記回収会社制御装置に、機内に残しておくべき貨幣の金種と枚数または金額に関する情報も送信してもよい。
【発明の効果】
【００２８】
本発明によれば、制御部が、通常の処理を可能とする第一モードと、顧客の担当者によって行われる操作が制限される第二モードとに切り換わる。このため、第二モードにおいて、顧客の担当者が貨幣処理装置内の貨幣へのアクセスを制限することができ、セキュリティを高めることができる。
【図面の簡単な説明】
【００２９】
【図１】本発明の第１の実施の形態による貨幣処理装置を示す斜視図。
【図２】本発明の第１の実施の形態による貨幣処理装置の紙幣処理ユニットを示す側方断面図。
【図３】本発明の第１の実施の形態による貨幣処理装置の硬貨処理ユニットを示す側方断面図。
【図４】本発明の第１の実施の形態による貨幣処理システムにおける制御信号の流れを説明するためのブロック図。
【図５】本発明の第１の実施の形態による貨幣処理装置における処理の流れを説明するための図。
【図６】本発明の第２の実施の形態による貨幣処理システムにおける制御信号の流れを説明するためのブロック図。
【図７】本発明の第３の実施の形態による貨幣処理システムにおける制御信号の流れを説明するためのブロック図。
【発明を実施するための形態】
【００３０】
第１の実施の形態
以下、本発明に係る貨幣処理装置の第１の実施の形態について、図面を参照して説明する。ここで、図１乃至図５は本発明の第１の実施の形態を示す図である。なお、本願において「貨幣」とは「硬貨」と「紙幣」の両方を意味している。
【００３１】
本実施の形態の貨幣処理装置１００は、銀行などの金融機関や大型スーパーなどに設置されている。本実施の形態では、以下、「顧客」として銀行を例にとって説明するが、これに限られることはない。
【００３２】
図１に示すように、貨幣処理装置１００は、筐体１と、筐体１に設けられて貨幣を入金するための入金部２０，３０と、入金部２０，３０で入金された貨幣を筐体１内で搬送する搬送部１２０，１３０（図２および図３参照）と、搬送部１２０，１３０で搬送される貨幣を識別する識別部１５０，１５５（図２および図３参照）と、筐体１内で貨幣を収納する収納部１６０，１７０（図２および図３参照）と、筐体１に設けられて収納部１６０，１７０に収納された貨幣を搬送部１２０，１３０を介して出金するための出金部２５，３５（３５ｒ，３５ｌ）と、を備えている。なお、貨幣処理装置１００は、紙幣を処理する紙幣処理ユニットと、硬貨を処理する硬貨処理ユニットとからなっている。また、貨幣処理装置１００には上位端末１１０が接続されており、この上位端末１１０は表示部１１１を有している。
【００３３】
入金部２０，３０は、紙幣を入金するための紙幣入金部２０と、硬貨を入金するための硬貨入金部３０とを有している。また、搬送部１２０，１３０は、紙幣を搬送するための紙幣搬送部１２０と、硬貨を搬送するための硬貨搬送部１３０とを有している。また、識別部１５０，１５５は、紙幣を識別するための紙幣識別部１５０と、硬貨を搬送するための硬貨識別部１５５とを有している。また、出金部２５，３５は、紙幣を出金するための紙幣出金部２５と、硬貨を出金するための硬貨出金部３５（３５ｒ，３５ｌ）とを有している。
【００３４】
収納部１６０，１７０は、識別部１５０，１５５によって識別された貨幣を金種別で収納するための金種別収納庫１６１，１７１と、回収貨幣を収納するための回収カセット１６５，１７５とを有している。このうち、金種別収納庫１６１，１７１は、紙幣識別部１５０によって識別された紙幣を金種別に収納する複数の金種別紙幣収納庫１６１と、硬貨識別部１５５によって識別された硬貨を金種別に収納する複数の金種別硬貨収納庫１７１とを有している。また、回収カセット１６５，１７５は、回収紙幣を収納するために用いられる紙幣カセット１６５と、回収硬貨を収納するために用いられる硬貨カセット１７５とを有している。なお、本実施の形態では、金種別紙幣収納庫１６１と、後述する紙幣リフト１６２と、紙幣カセット１６５とによって紙幣収納部１６０が構成され、金種別硬貨収納庫１７１と、後述する収納硬貨搬送部１７２と、硬貨カセット１７５とによって硬貨収納部１７０が構成されている。
【００３５】
図１に示すように、紙幣入金部２０は、筐体１の前面の幅方向中央位置に配置されて開口された紙幣入金口２１と、この紙幣入金口２１を開閉するために設けられたシャッタ２２と、を有している。また、硬貨入金部３０は、筐体１の上面手前側の幅方向中央位置に配置されて上方に向けて開口された硬貨入金口３１と、この硬貨入金口３１を開閉するために設けられたシャッタ（図示せず）と、を有している。なお、紙幣は、紙幣の長手方向を装置幅方向に、紙幣の短手方向を装置奥行き方向にそれぞれ合わせて、紙幣入金口２１に挿入されることとなる。
【００３６】
また、図２に示すように、金種別紙幣収納庫１６１内には、金種別紙幣収納庫１６１内で昇降することで紙幣を昇降させる紙幣リフト１６２が設けられている。また、図３に示すように、金種別硬貨収納庫１７１内には、金種別硬貨収納庫１７１内の硬貨を搬送するための収納硬貨搬送部１７２が設けられている。なお、収納硬貨搬送部１７２は、硬貨搬送ベルト１７３と、この硬貨搬送ベルト１７３を回転させるプーリー１７４と、このプーリー１７４を回転させる駆動モータ（図示せず）を有している。また、収納硬貨搬送部１７２によって搬送された硬貨は、カセットシュート切換部１７９によって、硬貨出金部３５ｒ，３５ｌに投出されるか、硬貨カセット１７５に収納されるかが切り換えられる。
【００３７】
また、図１に示すように、紙幣出金部２５は、筐体１の前面の幅方向中央位置で紙幣入金口２１の下方に配置された紙幣出金口２６と、この紙幣出金口２６を開閉するために設けられたシャッタ（図示せず）とを有している。また、硬貨出金部３５（３５ｒ，３５ｌ）は、筐体１の前面の幅方向左右端位置に設けられて左右のテラー用に設けられた硬貨出金口３６（３６ｒ，３６ｌ）と、各硬貨出金口３６（３６ｒ，３６ｌ）の下方に設けられた凹部に配置されて装置内から払い出される硬貨を受け入れる硬貨出金ボックス３７（３７ｒ，３７ｌ）と、を有している。
【００３８】
なお、紙幣出金口２６の両側近傍には、紙幣出金口２６に紙幣が払い出されたことを点滅表示する紙幣出金ランプが設けられている。また各硬貨出金口３６ｒ，３６ｌの近傍には、対応する硬貨出金口３６ｒ，３６ｌに硬貨が払い出されたことを点滅表示する硬貨出金ランプがそれぞれ設けられている。ところで、紙幣は、紙幣の長手方向を装置幅方向に、紙幣の短手方向を装置奥行き方向にそれぞれ合わせて、紙幣出金口２６から払い出されることとなる。
【００３９】
また、図１に示すように、筐体１の前面の幅方向中央位置で紙幣出金口２６の下方には、前方に向けて開口された凹部内にリジェクト紙幣を収納するリジェクトボックス４２が開閉可能に配置されている。リジェクトボックス４２には、凹部内にリジェクトボックス４２が挿入された状態で、施錠、解錠するリジェクトボックスキー挿入部４５が設けられている。
【００４０】
また、図１に示すように、筐体１の上面の幅方向左右端位置には、左右のテラー用にキー入力部６１ｒ，６１ｌ，６６ｒ，６６ｌがそれぞれ設けられている。キー入力部６１ｒ，６１ｌ，６６ｒ，６６ｌは、左右のテラーで紙幣の入出金処理の占有を指示するための紙幣処理ユニット占有キー６１ｒ，６１ｌと、左右のテラーで硬貨の入出金処理の占有を指示するための硬貨処理ユニット占有キー６６ｒ，６６ｌとを有している。これら紙幣処理ユニット占有キー６１ｒ，６１ｌおよび硬貨処理ユニット占有キー６６ｒ，６６ｌの各々にはランプが内蔵されている。そして、このランプは、例えば対応する硬貨処理ユニットまたは紙幣処理ユニットが占有されている場合に点灯し、対応する硬貨処理ユニットまたは紙幣処理ユニットが占有されていない場合に消灯するなど、必要に応じて点灯、消灯されるように構成されている。
【００４１】
また、図１に示すように、筐体１の前面の紙幣入金口２１の右側には、貨幣処理装置１００の電源をＯＮ／ＯＦＦする電源スイッチ５が設けられている。また、紙幣出金口２６の左側には、入金処理や出金処理などが実行される第一モードから、精査処理が行われる精査処理モードに切換可能にする入金出金モード管理キー５１が設けられている。また、紙幣出金口２６の右側には、上部ユニット５０を施錠、解錠するための上部キー挿入部５５が設けられている。なお、この上部ユニット５０は、筐体１から前方に引き出すことで筐体１から取り外すことができ、他方、筐体１に向かって押すことによって筐体１に取り付けることができるようになっている。
【００４２】
また、図１に示すように、筐体１の前面でリジェクトボックス４２が挿入される凹部の下方には、下部扉１０が開閉可能に取り付けられている。この下部扉１０には、下部扉１０の閉鎖状態で施錠、解錠される下部扉キー挿入部１５が設けられている。そして、下部扉１０の内側には、紙幣カセット１６５が装置幅方向中央位置に着脱可能に配置されているとともに、この紙幣カセット１６５に対して装置幅方向の一側に並んで硬貨カセット１７５が着脱可能に配置されている（図２および図３参照）。
【００４３】
また、図４に示すように、貨幣処理装置１００は、回収会社に設けられた回収会社受信装置２２０に情報を送信することができる送信部８５と、回収会社に設けられた回収会社送信装置２１０から情報を受信することができる受信部８６とを備えている。なお、送信部８５は、例えば精査処理が完了したことなどを、回収会社受信装置２２０を介して後述する回収会社制御装置２８０に送信し、受信部８６は、例えば第二モードへ切り換える旨の指示などを、後述する回収会社制御装置２８０から回収会社送信装置２１０を介して受信する。また、貨幣処理装置１００は、入金処理、出金処理などの銀行の行員（特に窓口担当者）が通常の処理を可能とする第一モードと、銀行の行員によって行われる操作が制限される第二モードとに切り換わる制御部８０も備えている。なお、回収会社としては、例えば警送会社を挙げることができる。
【００４４】
また、回収会社に設けられた回収会社受信装置２２０と回収会社送信装置２１０には、貨幣処理装置１００を遠隔制御することができる回収会社制御装置２８０が接続されている。そして、制御部８０は、送信部８５および回収会社受信装置２２０並びに回収会社送信装置２１０および受信部８６を介して、回収会社制御装置２８０と通信可能となっている。また、回収会社制御装置２８０には回収会社表示装置２３０が接続されている。なお、本実施の形態では、貨幣処理装置１００と、回収会社送信装置２１０、回収会社受信装置２２０、回収会社制御装置２８０および回収会社表示装置２３０とで、貨幣処理システムが構成されている。
【００４５】
また、図１に示すように、筐体１の上面の幅方向中央には装置表示部７０が設けられ、筐体１の上面右側には複数のファンクションキー（操作入力部）７１が設けられている。装置表示部７０では、所定の情報、例えば、ファンクションキー７１の機能、トラブル時のメッセージ、ガイダンスメッセージなどに加えて、制御部８０が第一モードおよび第二モードのいずれであるかが表示される。ファンクションキー７１では、銀行の行員（顧客の担当者）や回収会社の担当者によるキーの入力が可能となっており、装置表示部７０の表示切換、貨幣処理装置１００で行われる処理の選択などの操作が可能になっている。なお、制御部８０が第二モードになっているときには、ファンクションキー７１で所定のキー操作が行われたりＩＤ認証が行われたりすることによって、制御部８０が回収会社の担当者による処理だと認識する。
【００４６】
なお、本実施の形態では、制御部８０が、送信部８５と回収会社受信装置２２０を介して回収会社制御装置２８０に精査処理が完了したことを送信することによって、制御部８０が第一モードから第二モードに切り換わる態様を用いて説明する。しかしながら、これに限られることはなく、例えば、制御部８０が、回収会社送信装置２１０と受信部８６を介して、回収会社制御装置２８０から第二モードへ切り換えるように指示を受けることによって、制御部８０が第一モードから第二モードに切り換わるようになっていてもよいし、貨幣処理装置１００のファンクションキー７１を介して、銀行の行員が直接、第一モードから第二モードに切り換えるように指示を出すことで、制御部８０が第一モードから第二モードに切り換わるようになっていてもよい。
【００４７】
また、図４に示すように、制御部８０には、紙幣搬送部１２０、紙幣識別部１５０および紙幣収納部１６０（とりわけ紙幣リフト１６２）、並びに、硬貨搬送部１３０、硬貨識別部１５５および硬貨収納部１７０（とりわけプーリー１７３を回転させる駆動モータ）が接続され、制御部８０がこれらを制御する。
【００４８】
制御部８０は、送信部８５と回収会社受信装置２２０を介して回収会社制御装置２８０に、回収会社の担当者が回収・補充すべき貨幣の金種と枚数または金額に関する情報を送信してもよい。また、これに限られることはなく、制御部８０は回収会社制御装置２８０に、回収会社の担当者が回収・補充すべき貨幣の金種と枚数または金額に関する情報に加えて、機内に残しておくべき貨幣の金種と枚数または金額に関する情報も送信してもよい。
【００４９】
また、本実施の形態の制御部８０は、回収会社送信装置２１０と受信部８６を介して、回収会社制御装置２８０から回収会社の担当者が到達する到着予定時刻を受け取り、装置表示部７０や上位端末１１０の表示部１１１などに当該到着予定時刻を表示させるようになっている。
【００５０】
また、緊急事態に備え、制御部８０が第二モードであっても、ファンクションキー７１で緊急時用の所定のキー操作が行われたりＩＤ認証が行われたりして所定の入力が行われた場合には、銀行の行員によっても、制御部８０が第二モードから第一モードに切り換わるようになっている。なお、このようなキー操作やＩＤ認証による第二モードの解除は、銀行の管理者によってのみ可能となるような運用とすることが好ましい。緊急事態の例としては、例えば、通信機能障害により、回収会社制御装置２８０から制御部８０に第二モードへ切り換える旨の指示が送信できない場合などが挙げられる。
【００５１】
また、上記のように第二モードで銀行の行員によって行われる操作が制限されるのと同様に、第一モードで回収会社の担当者によって行われる操作が制限されてもよい。そして、このような場合においても、緊急事態に備え、制御部８０が第一モードであっても、ファンクションキー７１で緊急時用の所定のキー操作が行われたりＩＤ認証が行われたりして所定の入力が行われた場合には、回収会社の担当者によっても、制御部８０が第一モードから第二モードに切り換わるようになっていることが好ましい。
【００５２】
また、図４に示すように、貨幣処理装置１００は、精査処理の実施時刻、精査処理の実施結果（金種および枚数または金額）、回収処理の実施時刻、回収処理の実施結果（金種および枚数または金額）、補充処理の実施時刻および補充処理の実施結果（金種および枚数または金額）からなる処理情報を記憶する記憶部８１をさらに備えている。そして、この記憶部８１に記憶された処理情報は、銀行に設けられた装置表示部７０や上位端末１１０の表示部１１１などの表示装置および回収会社に設けられた回収会社表示装置２３０などの表示装置に送信されて、これら装置表示部７０、表示部１１１、回収会社表示装置２３０などによって表示されることとなる。この結果、銀行の担当者と回収会社の担当者の双方が処理情報を確認することができる。
【００５３】
また、本実施の形態では、記憶部８１に、精査処理の実施時刻、精査処理の実施結果、回収処理の実施時刻、回収処理の実施結果、補充処理の実施時刻および補充処理の実施結果の全てが記憶されているが、これに限られることはなく、例えば、記憶部８１に、精査処理の実施時刻、精査処理の実施結果、回収処理の実施時刻、回収処理の実施結果、補充処理の実施時刻および補充処理の実施結果のうちのいずれか一つ以上のものが記憶されている態様であってもよい。
【００５４】
次に、このような構成からなる本実施の形態の作用および効果について説明する。
【００５５】
銀行の窓口業務が開始されてから終了されるまでの間は（図５のＳＴ１３およびＳＴ１５参照）、制御部８０は第一モードとなっており、窓ロの行員は、貨幣処理装置１００で、入金処理、出金処理などの通常の処理を行うことができる。
【００５６】
他方、銀行の窓口業務が終了すると（図５のＳＴ１５参照）、銀行の行員によって、貨幣処理装置１００で精査処理が実施され、貨幣処理装置１００内の在高が確定される（図５のＳＴ１７参照）。そして、精査処理が終了した後で、銀行の行員がファンクションキー７１によって精査処理が終了したことを承認すると、制御部８０によって回収会社制御装置２８０に精査処理が完了したことが送信される。このとき、自動的に、制御部８０が第一モードから第二モードに切り換えられる（図５のＳＴ２１参照）。
【００５７】
このように制御部８０が第二モードに切り換わると、銀行側の担当者である行員によって行われる操作が制限されて、責任元が銀行から回収会社へ移る。
【００５８】
なお、第二モードによって行員の操作が制限される第１の例としては、制御部８０が、第二モードにおいて、銀行の行員によって行われる操作を受け付けないようになる。このような場合には、銀行の窓口担当者などの行員が貨幣処理装置１００を操作することができなくなるので、行員が貨幣処理装置１００内の貨幣にアクセスする機会を無くすことができ、セキュリティを高めることができる。
【００５９】
また、第二モードによって操作が制限される第２の例としては、制御部８０が、回収会社の担当者によって行われる操作も制限され、回収会社の担当者によって行われる操作のうち収納部１６０，１７０の回収カセット１６５，１７５内の貨幣を回収する回収処理のみを受け付けるようになる（なお、後述する回収準備処理は例外的に受け付ける。）。このような場合には、銀行の担当者が貨幣処理装置１００を操作することができなくなるだけでなく、回収会社の担当者でも回収処理しか行うことができなくなるため、セキュリティをより高めることができる。なお、回収カセット１６５，１７５に貨幣が未だ搬送されていない場合や回収カセット１６５，１７５に収納された貨幣の量が回収すべき貨幣の量に満たない場合には、制御部８０は、回収会社の担当者による回収処理に加えて、貨幣処理装置１００内に残しておくべき金種毎の枚数もしくは金額または貨幣処理装置１００から回収すべき金種毎の枚数もしくは金額を受け付け、制御部８０は、受け付けた情報に応じて、搬送部１２０，１３０によって貨幣を、金種別収納庫１６１，１７１から回収カセット１６５，１７５へ搬送させる（回収準備処理が行われる）。
【００６０】
また、第３の例としては、第２の例と同様に回収会社の担当者によって行われる操作も制限され、回収会社の担当者による回収処理と精査処理のみを受け付けるようになる（なお、回収準備処理は例外的に受け付ける。）。このような場合には、回収会社の担当者が再度精査処理を行うことができることから回収する貨幣の金種別の枚数をより確実にすることができ、他方、回収会社の担当者でも回収処理と精査処理しか行うことができないため、高いセキュリティを実現することができる。なおこの場合でも、第２の例と同様、回収カセット１６５，１７５に貨幣が未だ搬送されていない場合や回収カセット１６５，１７５に収納された貨幣の量が回収すべき貨幣の量に満たない場合には、制御部８０は、回収会社の担当者による回収処理と精査処理に加えて、貨幣処理装置１００内に残しておくべき金種毎の枚数もしくは金額または貨幣処理装置１００から回収すべき金種毎の枚数もしくは金額を受け付け、制御部８０は、受け付けた情報に応じて、搬送部１２０，１３０によって貨幣を、金種別収納庫１６１，１７１から回収カセット１６５，１７５へ搬送させる（回収準備処理が行われる）。
【００６１】
上述のように制御部８０が第二モードに入ると、その旨が装置表示部７０や上位端末１１０の表示部１１１で表示される。このため、銀行の行員は、制御部８０が第二モードに入っており、行員の操作が制限されることを容易に認識することができる。ところで、図示はしないが、装置表示部７０とは別に制御部８０が第二モードに入ったことを示すランプ（表示部）や第一モードに入ったことを示すランプ（表示部）が別途設けられていてもよく、当該ランプが点灯することなどで第二モードに入ったことが報知されてもよい。
【００６２】
また、制御部８０によって送信部８５と回収会社受信装置２２０を介して回収会社制御装置２８０に精査処理が完了したことが送信される際には、精査処理の実施時刻、金種毎の枚数または金額からなる精査処理の実施結果、補充または回収すべき貨幣に関する情報なども送信される。このため、回収会社の担当者は、これらの情報をもとに、補充または回収処理を行う時刻や行うべき補充または回収処理の内容などを把握することができる。
【００６３】
このとき、制御部８０によって回収会社制御装置２８０に、機内に残しておくべき貨幣の金種と枚数または金額に関する情報も送信されてもよい。このように機内に残しておくべき貨幣の金種と枚数または金額に関する情報も送信される場合には、回収会社の担当者が機内に残しておくべきとしてされた貨幣が多すぎるか否かを判断することができる。そして、回収会社の担当者が貨幣が多すぎると判断した場合には、銀行の行員にその旨が伝えられ、回収会社と銀行との間で機内に残すべき貨幣の量を話し合いで調整する運用も可能となる。
【００６４】
上述のように、制御部８０によって回収会社受信装置２２０に精査処理が完了したことが送信されると、回収会社制御装置２８０にその情報が送られ、回収会社表示装置２３０に精査処理が完了した旨が表示される。
【００６５】
そして、この表示された情報に基づく指示を回収会社の指示担当者から受けた（例えば、近辺の他の銀行で回収処理を行っている）回収会社の担当者が、対象となる貨幣処理装置１００内の貨幣の補充または回収処理を行うために、当該貨幣処理装置１００が設置されている銀行に向かう。このとき、回収会社制御装置２８０は制御部８０に、回収会社の担当者が到達する到着予定時刻を送信し、制御部８０は装置表示部７０や上位端末１１０の表示部１１１などに当該到着予定時刻を表示させる。
【００６６】
次に、銀行に到着した回収会社の担当者によって、ファンクションキー７１で所定のキー操作が行われたりＩＤ認証が行われたりする。その結果、制御部８０で回収会社の担当者による処理だと認識されて、その操作が受け付けられる。
【００６７】
次に、回収会社の担当者によって、貨幣処理装置１００の回収カセット１６５，１７５に収納された貨幣が回収される（図５のＳＴ２３参照）。なお、回収カセット１６５，１７５に貨幣が未だ搬送されていない場合や回収カセット１６５，１７５に収納された貨幣の量が回収すべき貨幣の量に満たない場合には、上述した回収準備処理が行われる。
【００６８】
ところで、貨幣処理装置１００が比較的安全な地域に設置されている場合やセキュリティ性の高い建造物内に設置されている場合には、翌日の運用に必要な分の貨幣が貨幣処理装置１００内に残置されて余剰分の貨幣が回収されることとなる。逆に、翌日の業務を行う際に不足すると予想される金種の貨幣に関しては、紙幣収納部１６０および硬貨収納部１７０に補充されることとなる。
【００６９】
このような場合には、回収会社の担当者が、翌朝、貨幣の補充に行く必要がない。このため、翌朝、回収会社制御装置２８０から制御部８０に、第二モードから第一モードに切り換えるように信号が送信され、そのことによって、制御部８０が第二モードから第一モードに切り換えられる（図５のＳＴ１１参照）。
【００７０】
他方、貨幣処理装置１００が治安の悪い地域に設置されている場合やセキュリティ性の低い建造物内に設置されている場合などセキュリティ性に問題がある場合には、貨幣処理装置１００内の貨幣の全てが、金種別収納庫１６１，１７１から回収カセット１６５，１７５に搬送されて収納され、回収されることとなる。
【００７１】
このような場合には、翌朝、銀行の業務開始前に当日の運用金が回収会社の担当者によって補充されることとなるため、回収会社制御装置２８０から制御部８０に、信号が送信されることで、制御部８０が第二モードから第一モードに切り換えられる態様でなくてもよく、例えば、回収会社の担当者が銀行に補充に行った段階でファンクションキー７１を介して第二モードから第一モードに制御部８０を切り換えてもよい（図５のＳＴ１１参照）。
【００７２】
なお、制御部８０が第一モードに入ると、その旨が装置表示部７０や上位端末１１０の表示部１１１で表示される。このため、銀行の行員は、制御部８０が第一モードに入っており、入金処理や出金処理などの通常の処理を行えることを容易に認識することができる。
【００７３】
上述のように、本実施の形態によれば、制御部８０を第二モードに切り換えることで、銀行側の担当者である行員によって行われる操作を制限することができる。このため、第二モードにおいて貨幣処理装置１００内の貨幣にアクセスする人間を限定でき、貨幣処理装置１００のセキュリティを高めることができる。なお、本実施の形態では、カセット運用を例にとって説明しているが、これに限られることはなく、回収カセット１６５，１７５が設けられておらず、小型かつ安価な貨幣処理装置で、銀行などの顧客の担当者によって行われる操作を制限するようにすることもできる。このような態様によれば、カセット運用でない場合でも貨幣処理装置１００内の貨幣にアクセスする人間を限定することができる点で有益である。（なお、カセット運用はそもそも貨幣処理装置内の貨幣にアクセスする人間を限定するためのものである。）
【００７４】
また、本実施の形態によれば、翌日の運用に必要な分の貨幣が貨幣処理装置１００内に残置され余剰分が回収されたり、貨幣処理装置１００内の貨幣の全てが回収されたりするので、銀行の店舗内や貨幣処理装置１００内にある貨幣を最小限に抑えることができる。このため、例えば強盗にあった際の被害を最小限に抑えることができる。
【００７５】
また、本実施の形態では、回収会社の回収会社制御装置２８０から制御部８０に回収会社の担当者が到達する到着予定時刻が送信され、装置表示部７０や上位端末１１０の表示部１１１で当該到着予定時刻が表示される。このため、回収会社の担当者の到着予定時刻まで銀行店舗の安全を確保すればよく、銀行の警備費用を抑えることができる。
【００７６】
また、本実施の形態によれば、回収会社の担当者が貨幣処理装置１００から貨幣を直接回収するので、金庫を利用しない運用が可能であり、セキュリティ維持のためのコストを削減することができる。また、従来であれば必要であった、行員が貨幣処理装置１００内の貨幣を回収して金庫へ保管するという作業も不要となり、手間と人件費を削減することができる。
【００７７】
また、白昼に銀行強盗の可能性が無いような治安のよい地域であれば、貨幣処理装置１００の収納部１６０，１７０を防犯性に優れたものにする必要が無くなり、貨幣処理装置１００の製造コストを低く抑えることができる。また、このような地域に用いられる貨幣処理装置１００であれば、回収カセット１６５，１７５のようなカセットを用いる必要がなく、例えば、回収会社の担当者が、収納部１６０，１７０から貨幣を取り出して袋などに入れて持ち帰るような運用を行うこともできる。
【００７８】
ところで、第二モードにおいては、必ずしも銀行の行員の操作を一切受け付けない訳ではなく、制御部８０は、例え第二モードであっても、銀行の行員によって行われる操作のうち、装置表示部７０や上位端末１１０の表示部１１１に、精査処理の実施時刻、金種毎の枚数または金額からなる精査処理の実施結果、第二モードへの移行に関する情報が正常に回収会社の回収会社受信装置２２０へ送信されたことなどの所定の情報を表示させるための表示指示を受け付けるようになっていてもよい。
【００７９】
第２の実施の形態
次に、図６により、本発明の第２の実施の形態について説明する。
【００８０】
第２の実施の形態では、貨幣処理装置１００が、機内に残しておくべき金種毎の枚数または金額を設定する余剰金設定部９０をさらに備えている。
【００８１】
そして、制御部８０は、余剰金設定部９０によって設定された枚数または金額に達するまで貨幣を金種毎に金種別収納庫１６１，１７１に収納させ、金種別収納庫１６１，１７１に余剰金設定部９０で設定された枚数または金額の貨幣が収納された場合には当該金種別収納庫１６１，１７１に収納されるべき金種の貨幣を回収カセット１６５，１７５に収納させる。より具体的には、制御部８０は、余剰金設定部９０によって設定された枚数または金額に達するまで、紙幣を金種毎に金種別紙幣収納庫１６１に収納させ、硬貨を金種毎に金種別硬貨収納庫１７１に収納させる。そして、金種別紙幣収納庫１６１に余剰金設定部９０で設定された枚数または金額の紙幣が収納された場合には当該金種別紙幣収納庫１６１に収納されるべき金種の紙幣が紙幣カセット１６５に収納され、金種別硬貨収納庫１７１に余剰金設定部９０で設定された枚数または金額の硬貨が収納された場合には当該金種別硬貨収納庫１７１に収納されるべき金種の硬貨が硬貨カセット１７５に収納されることとなる。
【００８２】
第２の実施の形態において、その他の構成は、第１の実施の形態と略同一の態様となっている。第２の実施の形態において、図１乃至図５に示す第１の実施の形態と同一部分には同一符号を付して詳細な説明は省略する。
【００８３】
本実施の形態によれば、余剰金設定部９０によって、例えば通常の銀行での業務・運用で必要な量の貨幣を、機内に残しておくべき金種毎の枚数または金額として設定することができる。このため、例えば窓口業務中に、設定された金種毎の枚数または金額を超える貨幣は、自動的に回収カセット１６５，１７５に収納される。このため、回収会社の担当者は、回収準備処理を行うことなく回収カセット１６５，１７５を持ち帰るだけで回収処理を完了させることができ、迅速な回収処理が実現される。
【００８４】
なお、このように窓口業務中に回収カセット１６５，１７５に余剰分の貨幣が収納されるようにしてもよいが、これに限られることはなく、窓口業務中においては、入金された貨幣は全て金種別に金種別収納庫１６１，１７１に収納され、精査処置を行う際に、回収される貨幣と機内に残置される貨幣が分けられることとなってもよい。この場合には、制御部８０は、精査処理を行う際に、余剰金設定部９０によって設定された枚数または金額に達するまで貨幣を金種毎に金種別収納庫１６１，１７１に収納させ、金種別収納庫１６１，１７１に余剰金設定部９０で設定された枚数または金額の貨幣が収納された場合には当該金種別収納庫１６１，１７１に収納されるべき金種の貨幣を回収カセット１６５，１７５に収納させることとなる。この場合にも、回収会社の担当者は、回収カセット１６５，１７５を持ち帰るだけで回収処理を完了させることができ、迅速な回収処理が実現される。
【００８５】
ところで、余剰金設置部９０は、曜日または日付に応じて、機内に残しておくべき金種毎の枚数または金額を自動的に変えてもよい。このような態様によれば、例えば、顧客の多い土日や関連企業の給料日後と、顧客の少ない平日とで、貨幣処理装置１００内に残す金種や金額を変えることができる。また、通常は貨幣処理装置１００内に翌日の運用に必要な貨幣を残すが、長期休業に入る前は全ての貨幣を回収するように設定を自動的に変えることもできる。
【００８６】
また、余剰金設置部９０は、地域情報に基づいて、機内に残しておくべき金種毎の枚数または金額を自動的に変えてもよい。このような態様によれば、同じ貨幣処理装置１００であっても、設置された銀行の地域の治安状況に応じて設定を変更して利用することができる。
【００８７】
第３の実施の形態
次に、図７により、本発明の第３の実施の形態について説明する。
【００８８】
第３の実施の形態では、貨幣処理装置１００が、回収すべき金種毎の枚数または金額を設定する回収金設定部９５をさらに備えている。
【００８９】
そして、制御部８０は、回収金設定部９５によって設定された回収すべき金種毎の枚数または金額に達するまで各金種の貨幣を回収カセット１６５，１７５に収納させ、回収カセット１６５，１７５に回収金設定部９５で設定された枚数または金額の貨幣が収納された場合には当該貨幣（すなわち、回収すべき枚数または金額に達した金種からなる貨幣）を金種別に金種別収納庫１６１，１７１に収納させることとなる。より具体的には、制御部８０は、回収金設定部９５によって設定された枚数または金額に達するまで、各金種の紙幣を紙幣カセット１６５に収納させるとともに各金種の硬貨を硬貨カセット１７５に収納させる。そして、回収金設定部９５によって設定された回収すべき枚数に達すると、その金種の紙幣を金種別に金種別紙幣収納庫１６１に収納させ、回収金設定部９５によって設定された回収すべき枚数に達すると、その金種の硬貨を金種別に金種別硬貨収納庫１７１に収納させることとなる。
【００９０】
第３の実施の形態において、その他の構成は、第１の実施の形態と略同一の態様となっている。第３の実施の形態において、図１乃至図５に示す第１の実施の形態と同一部分には同一符号を付して詳細な説明は省略する。
【００９１】
本実施の形態によれば、回収金設定部９５によって、回収会社の担当者が持ち帰る貨幣の金種毎の枚数または金額を設定することができ、例えば精査処理が行われるときに、回収すべき金種毎の枚数または金額を回収カセット１６５，１７５に収納させることができる。このため、回収会社の担当者は、回収準備処理を行うことなく回収カセット１６５，１７５を持ち帰るだけで回収処理を完了させることができ、迅速な回収処理が実現される。
【００９２】
ところで、回収金設定部９５は、曜日または日付に応じて、機内に残しておくべき金種毎の枚数または金額を自動的に変えてもよい。このような態様によれば、例えば、顧客の多い土日や関連企業の給料日後と顧客の少ない平日とで、貨幣処理装置１００内に残す金種や金額を変えることができる。また、通常は貨幣処理装置１００内に翌日の運用に必要な貨幣を残すが、長期休業に入る前は全ての貨幣を回収するように設定を自動的に変えることもできる。
【００９３】
また、回収金設定部９５は、地域情報に基づいて、機内に残しておくべき金種毎の枚数または金額を自動的に変えてもよい。このような態様によれば、同じ貨幣処理装置１００であっても、設置された銀行の地域の治安状況に応じて設定を変更して利用することができる。
【００９４】
ところで、上記の各実施の形態では、貨幣処理装置として、貨幣の入金処理と出金処理の両方を行うことができる入出金機を例にとって説明したが、内部に貨幣が収納され、当該貨幣が回収可能となっている装置であれば、これに限られることはなく、例えば入金処理のみを行うことができる入金機や、出金処理のみを行うことができる出金機を、貨幣処理装置として用いることもできる。
【符号の説明】
【００９５】
１          筐体
２０        紙幣入金部
２５        紙幣出金部
３０        硬貨入金部
３５（３５ｒ，３５ｌ）  硬貨出金部
４２        リジェクトボックス
７０        装置表示部
７１        ファンクションキー
８０        制御部
８１        記憶部
１００      貨幣処理装置
１２０      紙幣搬送部
１３０      硬貨搬送部
１５０      紙幣識別部
１５５      硬貨識別部
１６０      紙幣収納部
１７０      硬貨収納部
２１０      回収会社送信装置
２２０      回収会社受信装置
２３０      回収会社表示装置
２８０      回収会社制御装置
【図１】
0005683864.tif 000002
【図２】
0005683864.tif 000003
【図３】
0005683864.tif 000004
【図４】
0005683864.tif 000005
【図５】
0005683864.tif 000006
【図６】
0005683864.tif 000007
【図７】
0005683864.tif 000008